(57)【要約】【課題】  曲面状に展開する横引きのシャッターに対しても装飾・広告効果を好適に発揮するディスプレイシートを配置することができるディスプレイカーテンを提供する。【解決手段】  ディスプレイカーテン１は、建物等に敷設され水平方向に移動して開閉自在なシャッター２に沿ってシャッター前面の上下にそれぞれ配設された上部カーテンレール５と下部カーテンレール６と、この上下のカーテンレール間に着脱自在に配設され表面に表示体を形成してなるディスプレイシート３から構成され、ディスプレイシートがカーテンレールに沿って移動してシャッターの前面を開閉自在に覆うことができる。【選択図】図１
2009030341.tif 000002
【特許請求の範囲】
【請求項１】
建物等に敷設され水平方向に移動して開閉自在なシャッター、該シャッター前面の上下にそれぞれ配設されたカーテンレール、該上下のカーテンレール間に取付け・取外し自在に配設され表面に表示体を形成してなるディスプレイシートとからなり、該ディスプレイシートが前記カーテンレールに沿って移動自在とすることにより前記シャッターの前面をディスプレイシートにて覆うことができることを特徴とするディスプレイカーテン。
【請求項２】
ディスプレイシートの上下方部とカーテンレールの上下方部には互いに接着・剥離自在な面ファスナ部材を取り付け、ディスプレイシートを交換自在としたことを特徴とする請求項１記載のディスプレイカーテン。
【請求項３】
ディスプレイシートは細孔を多数有するメッシュタイプとすることを特徴とする請求項１又は２記載のディスプレイカーテン。
【請求項４】
建物等に敷設され水平方向に移動して開閉自在なシャッター、該シャッター前面の上下にそれぞれ配設されたカーテンレール、該上下のカーテンレールに対し該カーテンレールを摺動自在なリングカンを介して移動自在で一辺に面ファスナを備える帯状のベースシート、該上下のベースシート間に取付け・取外し自在に配設され表面に表示体を形成してなるディスプレイシートとからなり、ディスプレイシート、ベースシート又はリングカンの水平方向の端部若しくはその近傍に、磁石、フック等の係止部材を設けてディスプレイシートを前記カーテンレールに対して固定可能とすることを特徴とするディスプレイカーテン。
【発明の詳細な説明】
【技術分野】
【０００１】
本発明は、駅の売店等に設置されるコ字状の開口部を開閉するシャッターが、閉めた状態で多くの人の目にとまりやすいことに注目して、このシャッター前面部分を広告宣伝や装飾に利用することとし、シャッターに各種広告宣伝や装飾に供する機能を付加させることを可能とする取り付け・交換が容易なディスプレイカーテンに関する。
【背景技術】
【０００２】
従来、建物のシャッターに装飾等を施すためには、シャッター表面にペンキ等で装飾等の表示体を描くことが行われていたが、複数枚の細長いスラットを組み合わせて構成されるシャッターにペンキで表示体を描いても、スラット間の接合部分で表示体が分断されてしまって装飾としての美観は損なわれていた。それに加え、シャッター表面に表示体をペンキで描くことは、手間と費用が掛かるだけでなく、表示体を変更する場合にもその上からペンキで上書きせざるを得ず、さらに多大な時間と費用を要することとなっていた。
そこで、新たなディスプレイ装置として、既存のシャッターの前面にシャッターと別体の装飾等を施したディスプレイシートを位置させるディスプレイ装置が案出されている。このディスプレイ装置は、シャッターの下部にディスプレイシートの巻取装置を配設するとともに、シャッターの上端にディスプレイシートの上端を固定し、シャッターの下降に応じてディスプレイシートを巻取装置から自動的に繰り出す構造としている。このディスプレイ装置は、既存のシャッターに対して容易に設置することができ、シャッター表面に各種広告宣伝や装飾を施すことができる上に、ディスプレイシートを取り替えることで表示体の変更も容易に行えるという従来にない優れたものである。
【特許文献１】特開２００５−９７８３９号公報
【発明の開示】
【発明が解決しようとする課題】
【０００３】
この従来のシャッター用のディスプレイ装置は、通常の建物のシャッターにあっては好適に使用することができるが、それは平面状に展開するシャッターに限られており、駅の売店等に設置される水平方向に略コ字形に開閉する、いわゆる横引きの曲面状に展開するシャッターに対しては、対応することができなかった。
【０００４】
そこで本発明は、曲面状に展開する横引きのシャッターに対しても装飾・広告効果を好適に発揮するディスプレイシートを配置することができるディスプレイカーテンを提供することを目的とする。
【課題を解決するための手段】
【０００５】
前述の目的を達成するため、本発明のディスプレイカーテンは、建物等に敷設され水平方向に移動して開閉自在なシャッター、該シャッター前面の上下にそれぞれ配設されたカーテンレール、該上下のカーテンレール間に取付け・取外し自在に配設され表面に表示体を形成してなるディスプレイシートとからなり、該ディスプレイシートが前記カーテンレールに沿って移動自在とすることにより前記シャッターの前面をディスプレイシートにて覆うことができることを特徴とするものである。
【０００６】
また本発明は、ディスプレイシートの上下方部とカーテンレールの上下方部には互いに接着・剥離自在な面ファスナ部材を取り付け、ディスプレイシートを交換自在としたことを特徴とするものである。
【０００７】
また本発明は、ディスプレイシートは細孔を多数有するメッシュタイプとすることを特徴とするものである。
【０００８】
また本発明は、建物等に敷設され水平方向に移動して開閉自在なシャッター、該シャッター前面の上下にそれぞれ配設されたカーテンレール、該上下のカーテンレールに対し該カーテンレールを摺動自在なリングカンを介して移動自在で一辺に面ファスナを備える帯状のベースシート、該上下のベースシート間に取付け・取外し自在に配設され表面に表示体を形成してなるディスプレイシートとからなり、ディスプレイシート、ベースシート又はリングカンの水平方向の端部若しくはその近傍に、磁石、フック等の係止部材を設けてディスプレイシートを前記カーテンレールに対して固定可能とすることを特徴とするものである。
【発明の効果】
【０００９】
本発明のディスプレイカーテンによれば、建物等に敷設され水平方向に移動して開閉自在なシャッター、該シャッター前面の上下にそれぞれ配設されたカーテンレール、該上下のカーテンレール間に取付け・取外し自在に配設され表面に表示体を形成してなるディスプレイシートとからなり、該ディスプレイシートが前記カーテンレールに沿って移動自在とすることにより前記シャッターの前面をディスプレイシートにて覆うことで、例えば略コ字状の開口部を水平方向に移動して開閉する横引きのシャッターに対しても、ディスプレイカーテンはカーテンレールに沿って移動してシャッターを覆うことができ、これによりディスプレイシートによる各種広告宣伝や装飾を施すことができる。
【００１０】
また、ディスプレイシートの上下方部とカーテンレールの上下方部には互いに接着・剥離自在な面ファスナ部材を取り付け、ディスプレイシートを交換自在としたことで、ディスプレイシートの着脱が容易に行え、取り付け・交換が簡単となる。
【００１１】
また、ディスプレイシートは細孔を多数有するメッシュタイプとすることで、ディスプレイシートを軽量化することができるとともに、細孔で風を通過させることでシートに加わる応力を減らし、風に煽られて剥がれたり損傷したりする恐れを減少させることができる。
【００１２】
また、建物等に敷設され水平方向に移動して開閉自在なシャッター、該シャッター前面の上下にそれぞれ配設されたカーテンレール、該上下のカーテンレールに対し該カーテンレールを摺動自在なリングカンを介して移動自在で一辺に面ファスナを備える帯状のベースシート、該上下のベースシート間に取付け・取外し自在に配設され表面に表示体を形成してなるディスプレイシートとからなり、ディスプレイシート、ベースシート又はリングカンの水平方向の端部若しくはその近傍に、磁石、フック等の係止部材を設けてディスプレイシートを前記カーテンレールに対して固定可能とすることで、シャッターをカバーするディスプレイシートが風に煽られる等で移動することを防ぐことができる。
【発明を実施するための最良の形態】
【００１３】
図１及び図２は、本発明のディスプレイカーテン１を示し、このディスプレイカーテン１は、駅の売店等の略コ字状に三方を開口した開口部を開閉するシャッター２の前面を、表面に文字・絵柄等の宣伝広告用若しくは装飾用の表示体３ａを形成したディスプレイシート３で被覆することで、閉じたシャッター面に装飾・広告効果を発揮するものである。
このシャッター２は、コ字状の開口部にあわせてその上縁及び下縁にコ字状に配設されているガイドレール４に案内されて開口部を水平方向に移動して開閉する、上下に細長いスラットを複数枚横方向に組み合わせた構造の横引きのシャッターである。
【００１４】
本発明のディスプレイカーテン１は、シャッター２の表側の上部に、ガイドレール４に沿って配設された上部カーテンレール５と、同じくシャッター２の表側の下部に、ガイドレール４に沿って配設された下部カーテンレール６と、上方のガイドレール４に移動自在に係止されるリングカン７を掛止する帯状のシート体で、下縁に面ファスナ部材８を配設する上部ベースシート９と、下方のガイドレール４に移動自在に係止されるリングカン７を掛止する帯状のシート体で、上縁に面ファスナ部材８を配設する下部ベースシート１０と、上部ベースシート９と下部ベースシート１０の間に配設され、裏面側の上下縁に前記面ファスナ部材８と着脱自在な面ファスナ部材１１を配設するディスプレイシート３とから構成されるものである。ディスプレイシート３は、布状・シート状の可撓性を有するメッシュタイプのターポリンシート等からなり、その表面に文字・絵柄等の宣伝広告用若しくは装飾用の表示体を形成したディスプレイシート３であり、その表面には必要に応じてフッ素樹脂等のコーティングによる防汚加工を施してもよい。また、上部ベースシート９と下部ベースシート１０の水平方向の端部と、ディスプレイシート３の端部には、ディスプレイシート３が端から剥がれないように、両部材を狭持してより一層確実に固定するためにクリップ状のシート固定部材１２を配設している。さらに、上部ベースシート９と下部ベースシート１０の水平方向の端部には、展開させたディスプレイシート３が移動しないように保持するための磁石からなる係止部材１３を設けるとともに、これが当接する上部カーテンレール５及び下部カーテンレール６の端部にこの磁石に磁着する磁性体からなる係止部材１４を配設し、これによりディスプレイシート３が風に煽られる等で移動することを防止している。尚、係止部材１３は磁石以外にフック等でもよく、また係止部材１３が設けられるのも上部ベースシート９と下部ベースシート１０の端部以外に、その近傍のリングカン７部分であってもよい。
【００１５】
このような構成からなるディスプレイカーテン１にあっては、図２に示すごとく、ディスプレイシート２を展開した状態で、これを上下の端から面ファスナ部材同志の接合を剥がすことで、上部カーテンレール５及び下部カーテンレール６からディスプレイシート２を容易に取り外すことができる。そして、新たなディスプレイシートを装着する場合にも、ベースシートの面ファスナ部材とディスプレイシートの面ファスナ部材を当接させることで、容易に接合することができる。
【００１６】
尚、上述した実施例にあっては、コ字状のシャッターについて説明したが、もちろんこれに限定されることはなく、曲面状に展開する横引きのシャッターであればどのような形状であっても本発明のディスプレイカーテンを適用することができるものである。
【図面の簡単な説明】
【００１７】
【図１】本発明のディスプレイカーテンを途中まで展開した状態を示す説明図である。
【図２】本発明のディスプレイカーテンの分解説明図である。
【符号の説明】
【００１８】
１  ディスプレイカーテン
２  シャッター
３  ディスプレイシート
３ａ  表示体
４  ガイドレール
５  上部カーテンレール
６  下部カーテンレール
７  リングカン
８  面ファスナ部材
９  上部ベースシート
１０  下部ベースシート
１１  面ファスナ部材
１２  シート固定部材
１３  係止部材
１４  係止部材
【図１】
2009030341.tif 000003
【図２】
2009030341.tif 000004